(57)【要約】【課題】ユーザが予約を行なった後にその進行伏況に遅れまたは進みが生じた場合、即応的且つユーザの介入を要することなく予約を変更することができる予約システム等を提供する。【解決手段】移動体端末装置２２の現在の位置情報を所定の期間毎に取得して、現在の位置情報により乗車駅１に到着する新たな到着予想時刻を求め、最初に求められた到着予想時刻と新たな到着予想時刻とに基づき座席の予約の変更を要するか否かを判断する。予約変更情報送信部３４ａは新たな到着予想時刻が最初の到着予想時刻より遅れると判断した場合、新たな到着予想時刻に基づき座席の予約を変更する予約変更情報を予約センタ４０へ送信する。予約センタ４０の座席手配部４２ａは予約変更情報送信部３４ａにより送信された予約変更情報に基づき交通機関５の乗車駅１から下車駅２までの座席手配を行なう。手配結果通知部４４ａは座席手配の可否を移動体端末装置２２へ通知する。【選択図】  図１
2005235079.tif 000002
【特許請求の範囲】
【請求項１】
車両に搭載された移動体端末装置と、該移動体端末装置からの通信に基づき交通機関の座席手配を行なう予約センタとを備えた予約システムであって、
前記移動体端末装置は、
前記移動体端末装置の位置情報を取得する位置情報取得手段と、
目的地と前記位置情報取得手段により取得された位置情報とに基づき、該目的地への移動に用いる交通機関の乗車駅及び下車駅を決定する駅決定手段と、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、
前記到着予想時刻算出手段により求められた到着予想時刻に基づき、前記駅決定手段により決定された乗車駅から下車駅までの座席を予約する予約情報を前記予約センタヘ送信する予約情報送信手段と、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信する予約変更情報送信手段とを備え、
前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする予約システム。
【請求項２】
請求項１記載の予約システムにおいて、前記予約センタは、前記座席手配手段が前記予約情報又は前記予約変更情報に基づき交通機関の乗車駅から下車駅まで行なった座席手配の可否を前記移動体端末装置へ通知する手配結果通知手段をさらに備えたことを特徴とする予約システム。
【請求項３】
請求頂２記載の予約システムにおいて、前記移動体端末装置は、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記手配結果通知手段により座席手配が否であると通知された場合、乗車駅に最初に求められた前記到着予想時刻に到着し得る経路を求める経路探索手段をさらに備えたことを特徴とする予約システム。
【請求項４】
車両に搭載された移動体端末装置と、該移動体端末装置と通信を行う通信センタと、該通信センタからの通信に基づき交通機関の座席手配を行なう予約センタとを備えた予約システムであって、
前記移動体端末装置は、前記通信センタヘ目的地を送信する目的地送信手段を備え、
前記通信センタは、
前記移動体端末装置の位置情報を取得する位置情報取得手段と、
前記目的地送信手段により送信された目的地と前記位置情報取得手段により取得された位置情報とに基づき、該目的地への移動に用いる交通機関の乗車駅及び下車駅を決定する駅決定手段と、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、
前記到着予想時刻算出手段により求められた到着予想時刻に基づき、前記駅決定手段により決定された乗車駅から下車駅までの座席を予約する予約情報を前記予約センタヘ送信する予約情報送信手段と、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信する予約変更情報送信手段とを備え、
前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする予約システム。
【請求項５】
請求項４記載の予約システムにおいて、前記予約センタは、前記座席手配手段が前記予約情報又は前記予約変更情報に基づき交通機関の乗車駅から下車駅まで行なった座席手配の可否を前記通信センタヘ通知する手配結果通知手段をさらに備えたことを特徴とする予約システム。
【請求項６】
請求項５記載の予約システムにおいて、前記通信センタは、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記手配結果通知手段により座席手配が否であると通知された場合、前記移動体端末装置へ乗車駅に最初に求められた前記到着予想時刻に到着し得る経路を送信する経路送信手段をさらに備えたことを特徴とする予約システム。
【請求項７】
車両に搭載された移動体端末装置と、該移動体端末装置と通信を行う通信センタと、該通信センタからの通信に基づき交通機関の座席手配を行なう予約センタとを備えた予約システムであって、
前記移動体端末装置は、
前記移動体端末装置の位置情報を取得する位置情報取得手段と、
目的地と前記位置情報取得手段により取得された位置情報とに基づき、該目的地への移動に用いる交通機関の乗車駅及び下車駅を決定する駅決定手段と、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、
前記駅決定手段により決定された乗車駅及び下車駅と前記到着予想時刻算出手段により求められた到着予想時刻とを含む到着予想情報を前記通信センタヘ送信する到着予想情報送信手段と、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判斯した場合、前記駅決定手段により決定された乗車駅及び下車駅と該新たな到着予想時刻とを含む新たな到着予想情報を前記通信センタヘ送信する新到着予想情報送信手段とを備え、
前記通信センタは、
前記到着予想情報送信手段により送信された到着予想情報に含まれる乗車駅及び下車駅と到着予想時刻とに基づき、該乗車駅から該下車駅までの座席を予約する予約情報を前記予約センタヘ送信する予約情報送信手段と、
前記新到着予想情報送信手段により送信された新たな到着予想情報に含まれる乗車駅及び下車駅と新たな到着予想時刻とに基づき、該乗車駅から該下車駅までの座席を予約する予約変更情報を前記予約センタヘ送信する予約変更情報送信手段とを備え、
前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする予約システム。
【請求項８】
請求項７記載の予約システムにおいて、前記予約センタは、前記座席手配手段が前記予約情報又は前記予約変更情報に基づき交通機関の乗車駅から下車駅まで行なった座席手配の可否を前記通信センタヘ通知する手配結果通知手段をさらに備えたことを特徴とする予約システム。
【請求項９】
請求項８記載の予約システムにおいて、
前記通信センタは、前記手配結果通知手段により通知された座席手配の可否を前記移動体端末装置へ中継する手配結果中継手段をさらに備え、
前記移動体端末装置は、前記新到着予想情報送信手段が最初に求められた前記到着予想時刻より前記新たな到着予想時刻が早いため前記座席の予約の変更を要すると判断し、前記駅決定手段により決定された乗車駅及び下車駅と該新たな到着予想時刻とを含む新たな到着予想情報を前記通信センタヘ送信した場合であって、且つ前記手配結果中継手段により座席手配が否であると中継された場合、乗車駅に最初に求められた前記到着予想時刻に到着し得る経路を求める経路探索手段をさらに備えたことを特徴とする予約システム。
【請求項１０】
車両に搭載された移動体端末装置と、該移動体端末装置からの通信に基づき交通機関の座席手配を行なう予約センタとを備えた予約システムにおける該移動体端末装置のコンピュータで動作するプログラムであって、該コンピュータを、
前記移動体端末装置の位置情報を取得する位置情報取得手段、
目的地と前記位置情報取得手段により取得された位置情報とに基づき、該目的地への移動に用いる交通機関の乗車駅及び下車駅を決定する駅決定手段、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、
前記到着予想時刻算出手段により求められた到着予想時刻に基づき、前記駅決定手段により決定された乗車駅から下車駅までの座席を予約する予約情報であって、該予約情報に基づき前記予約センタが交通機関の乗車駅から下車駅までの座席手配を行なうものを前記予約センタヘ送信する予約情報送信手段、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報であって、該予約変更情報に基づき前記予約センタが交通機関の乗車駅から下車駅までの座席手配を行なうものを前記予約センタヘ送信する予約変更情報送信手段として機能させるためのプログラム。
【請求項１１】
請求項１０記載のプログラムにおいて、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記予約センタから前記予約変更情報に基づき交通機関の乗車駅から下車駅まで行なった座席手配が否であると通知された場合、乗車駅に最初に求められた前記到着予想時刻に到着し得る経路を求める経路探索手段をさらに備えたことを特徴とするプログラム。
【請求項１２】
車両に搭載された移動体端末装置と、該移動体端末装置と通信を行う通信センタと、該通信センタからの通信に基づき交通機関の座席手配を行なう予約センタとを備えた予約システムにおける該通信センタのコンピュータ上で動作するプログラムであって、該コンピュータを、
前記移動体端末装置の位置情報を取得する位置情報取得手段、
前記移動体端末装置から送信された目的地と前記位置情報取得手段により取得された位置情報とに基づき、該目的地への移動に用いる交通機関の乗車駅及び下車駅を決定する駅決定手段、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、
前記到着予想時刻算出手段により求められた到着予想時刻に基づき、前記駅決定手段により決定された乗車駅から下車駅までの座席を予約する予約情報であって、該予約情報に基づき前記予約センタが交通機関の乗車駅から下車駅までの座席手配を行なうものを前記予約センタヘ送信する予約情報送信手段、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報であって、該予約変更情報に基づき前記予約センタが交通機関の乗車駅から下車駅までの座席手配を行なうものを前記予約センタヘ送信する予約変更情報送信手段として機能させるためのプログラム。
【請求項１３】
請求項１２記載のプログラムにおいて、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記予約センタから前記予約変更情報に基づき交通機関の乗車駅から下車駅まで行なった座席手配が否であると通知された場合、前記移動体端末装置へ乗車駅に最初に求められた前記到着予想時刻に到着し得る径路を送信する経路送信手段をさらに備えたことを特徴とするプログラム。
【請求項１４】
車両に搭載された移動体端末装置と、該移動体端末装置と通信を行う通信センタと、該通信センタからの通信に基づき交通機関の座席手配を行なう予約センタとを備えた予約システムにおける該移動体端末装置のコンピュータ上で動作するプログラムであって、該コンピュータを、
前記移動体端末装置の位置情報を取得する位置情報取得手段、
目的地と前記位置情報取得手段により取得された位置情報とに基づき、該目的地への移動に用いる交通機関の乗車駅及び下車駅を決定する駅決定手段、
前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、
前記駅決定手段により決定された乗車駅及び下車駅と前記到着予想時刻算出手段により求められた到着予想時刻とを含む到着予想情報であって、該到着予想情報に基づき前記通信センタが該乗車駅から該下車駅までの座席を予約する予約情報を前記予約センタヘ送信し、該予約情報に基づき前記予約センタが交通機関の乗車駅から下車駅までの座席手配を行なうものを前記通信センタヘ送信する到着予想情報送信手段、
前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、前記駅決定手段により決定された乗車駅及び下車駅と該新たな到着予想時刻とを含む新たな到着予想情報であって、該新たな到着予想情報に基づき前記通信センタが該乗車駅から該下車駅までの座席を予約する予約変更情報を前記予約センタヘ送信し、該予約変更情報に基づき前記予約センタが交通機関の乗車駅から下車駅までの座席手配を行なうものを前記通信センタヘ送信する新到着予想情報送信手段として機能させるためのプログラム。
【請求項１５】
請求項１４記載のプログラムにおいて、前記新到着予想情報送信手段が最初に求められた前記到着予想時刻より前記新たな到着予想時刻が早いため前記座席の予約の変更を要すると判断し、前記駅決定手段により決定された乗車駅及び下車駅と該新たな到着予想時刻とを含む新たな到着予想情報を前記通信センタヘ送信した場合であって、且つ前記予約センタから前記通信センタヘ座席手配が否であると通知され該通信センタから前記移動体端末装置へ座席手配が否であると中継された場合、乗車駅に最初に求められた前記到着予想時刻に到着し得る経路を求める経路探索手段をさらに備えたことを特徴とするプログラム。
【請求項１６】
請求項１０ないし１５のいずれかに記載のプログラムを記録したコンピュータ読取り可能な記録媒体。
【請求項１７】
車両に搭載された移動本端末装置と、該移動体端末装置からの通信に基づき交通機関の座席手配を行なう予約センタとを備えた予約方法であって、
前記移動体端末装置が、
前記移動体端末装置の位置情報を取得する位置情報取得ステップと、
目的地と前記位置情報取得ステップで取得された位置情報とに基づき、該目的地への移動に用いる交通機関の乗車駅及び下車駅を決定する駅決定ステップと、
前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、
前記到着予想時刻算出ステップで求められた到着予想時刻に基づき、前記駅決定ステップにより決定された乗車駅から下車駅までの座席を予約する予約情報を前記予約センタヘ送信する予約情報送信ステップと、
前記予約センタが、前記予約情報送信ステップで送信された予約情報に基づき、交通機関の乗車駅から下車駅までの座席手配を行なう座席手配ステップと
を備え、
前記移動体端末装置は、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信し、前記予約センタは、送信された該予約変更情報に基づき、交通機関の乗車駅から下車駅までの座席手配を行なうことを特徴とする予約方法。
【請求項１８】
車両に搭載された移動体端末装置と、該移動体端末装置と通信を行う通信センタと、該通信センタからの通信に基づき交通機関の座席手配を行なう予約センタとを備えた予約方法であって、
前記移動体端末装置が、前記通信センタヘ目的地を送信する目的地送信ステップと、
前記通信センタが、
前記移動体端末装置の位置情報を取得する位置情報取得ステップと、
前記目的地送信ステップで送信された目的地と前記位置情報取得ステップで取得された位置情報とに基づき、該目的地への移動に用いる交通機関の乗車駅及び下車駅を決定する駅決定ステップと、
前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、
前記到着予想時刻算出ステップで求められた到着予想時刻に基づき、前記駅決定ステップにより決定された乗車駅から下車駅までの座席を予約する予約情報を前記予約センタヘ送信する予約情報送信ステップと、
前記予約センタが、前記予約情報送信ステップで送信された予約情報に基づき、交通機関の乗車駅から下車駅までの座席手配を行なう座席手配ステップと
を備え、
前記通信センタは、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信し、前記予約センタは、送信された該予約変更情報に基づき、交通機関の乗車駅から下車駅までの座席手配を行なうことを特徴とする予約方法。
【請求項１９】
車両に搭載された移動体端末装置と、該移動体端末装置と通信を行う通信センタと、該通信センタからの通信に基づき交通機関の座席手配を行なう予約センタとを備えた予約方法であって、
前記移動体端末装置が、
前記移動体端末装置の位置情報を取得する位置情報取得ステップと、
目的地と前記位置情報取得ステップで取得された位置情報とに基づき、該目的地への移動に用いる交通機関の乗車駅及び下車駅を決定する駅決定ステップと、
前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、
前記駅決定ステップで決定された乗車駅及び下車駅と前記到着予想時刻算出ステップで求められた到着予想時刻とを含む到着予想情報を前記通信センタヘ送信する到着予想情報送信ステップと、
前記通信センタが、前記到着予想情報送信ステップで送信された到着予想情報に含まれる乗車駅及び下車駅と到着予想時刻とに基づき、該乗車駅から該下車駅までの座席を予約する予約情報を前記予約センタヘ送信する予約情報送信ステップと、
前記予約センタが、前記予約情報送信ステップで送信された予約情報又は前記予約変更情報送信ステップで送信された予約変更情報に基づき、交通機関の乗車駅から下車駅までの座席手配を行なう座席手配ステップと
を備え、
前記移動体端末装置は、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、前記駅決定ステップで決定された乗車駅及び下車駅と該新たな到着予想時刻とを含む新たな到着予想情報を前記通信センタヘ送信し、前記通信センタは、送信された該新たな到着予想情報に含まれる乗車駅及び下車駅と新たな到着予想時刻とに基づき、該乗車駅から該下車駅までの座席を予約する予約変更情報を前記予約センタヘ送信し、前記予約センタは、送信された該予約変更情報に基づき、交通機関の乗車駅から下車駅までの座席手配を行なうことを特徴とする予約方法。
【発明の詳細な説明】
【技術分野】
【０００１】
本発明は、交通機関の座席手配を行なう予約システム等に関し、特に、車両に搭載された移動体端末装置と、当該移動体端末装置と通信を行う通信センタと、当該移動体端末装置または当該通信センタからの通信に基づき交通機関の座席手配を行なう予約センタとを備えた予約システム等に関する。
【背景技術】
【０００２】
従来、ユーザが所望の駐車場を予約する場合、ユーザの移動通信端末とサーバとの間で通信を行って所望の駐車場を予約すると共に、サーバが移動通信端末の位置情報を利用して移動通信端末へ所望の駐車場までの経路情報を送信して誘導するという予約方法が開発されている。例えば、特許文献１にはサーバが複数の駐車場リストを管理し、さらに駐車場料金を移動通信端末のユーザの通信料金に加算する予約方法が記載されている。特許文献２には専用駐車場を持たない店舗の契約駐車場を予約するシステムが記載されている。
【０００３】
一方、特許文献３には利用者の要望に応じた旅行スケジュールを作成するシステムが記載されている。このシステムでは、利用者が当該旅行スケジュールに従って旅行中に、その位置情報に基づきユーザの遅れまたは進みを監視し、ユーザの携帯端末装置へ警告案内を送信する構成になっている。スケジュールの変更は利用者が警告案内を受けた後、携帯端末装置を介して当該旅行スケジュールの変更を指示した場合に行なわれるようになっている。
【特許文献１】特関２００２−２９８１７５
【特許文献２】特開２００２−１９７２０８
【特許文献３】特開２００２−７３７５６
【発明の開示】
【発明が解決しようとする課題】
【０００４】
上述のように、特許文献１または２の予約方法等はいずれも予約の変更について考慮さ
れていないという問題があった。特許文献３には旅行スケジュールの変更について記載されているが、ユーザがその進行伏況に遅れまたは進みが生じたという警告案内を受けた後
に変更指示を行なった場合、作成した旅行スケジュールに変更が加えられるという構成であった。この結果、予定の変更には警告案内とユーザの変更指示という介入とが必要となるため、即応性に欠け、ユーザにとって煩雑で使いにくいシステムであるという問題があった。
【０００５】
そこで、本発明の目的は、上記問題を解決するためになされたものであり、ユーザが予約を行なった後にその進行状況に遅れまたは進みが生じた場合、即応的且つユーザの介入
を要することなく予約を変更することができる予約システム等を提供することにある。
【課題を解決するための手段】
【０００６】
この発明の予約システムは、車両に搭載された移動体端末装置と、該移動体端末装置からの通信に基づき交通機関の座席手配を行なう予約センタとを備えた予約システムであって、前記移動体端末装置は、前記移動体端末装置の位置情報を取得する位置情報取得手段と、目的地と前記位置情報取得手段により取得された位置情報とに基づき、該目的地への移動に用いる交通機関の乗車駅及び下車駅を決定する駅決定手段と、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、前記到着予想時刻算出手段により求められた到着予想時刻に基づき、前記駅決定手段により決定された乗車駅から下車駅までの座席を予約する予約情報を前記予約センタヘ送信する予約情報送信手段と、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信する予約変更情報送信手段とを備え、前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする。
【０００７】
ここで、この発明の予約システムにおいて、前記予約センタは、前記座席手配手段が前記予約情報又は前記予約変更情報に基づき交通機関の乗車駅から下車駅まで行なった座席手配の可否を前記移動体端末装置へ通知する手配結果通知手段をさらに備えることができる。
【０００８】
ここで、この発明の予約システムにおいて、前記移動体端末装置は、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記手配結果通知手段により座席手配が否であると通知された場合、乗車駅に最初に求められた前記到着予想時刻に到着し得る経路を求める経路探索手段をさらに備えることができる。
【０００９】
この発明の予約システムは、車両に搭載された移動体端末装置と、該移動体端末装置と通信を行う通信センタと、該通信センタからの通信に基づき交通機関の座席手配を行なう予約センタとを備えた予約システムであって、前記移動体端末装置は、前記通信センタヘ目的地を送信する目的地送信手段を備え、前記通信センタは、前記移動体端末装置の位置情報を取得する位置情報取得手段と、前記目的地送信手段により送信された目的地と前記位置情報取得手段により取得された位置情報とに基づき、該目的地への移動に用いる交通機関の乗車駅及び下車駅を決定する駅決定手段と、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、前記到着予想時刻算出手段により求められた到着予想時刻に基づき、前記駅決定手段により決定された乗車駅から下車駅までの座席を予約する予約情報を前記予約センタヘ送信する予約情報送信手段と、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信する予約変更情報送信手段とを備え、前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする。
【００１０】
ここで、この発明の予約システムにおいて、前記予約センタは、前記座席手配手段が前記予約情報又は前記予約変更情報に基づき交通機関の乗車駅から下車駅まで行なった座席手配の可否を前記通信センタヘ通知する手配結果通知手段をさらに備えることができる。
【００１１】
ここで、この発明の予約システムにおいて、前記通信センタは、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記手配結果通知手段により座席手配が否であると通知された場合、前記移動体端末装置へ乗車駅に最初に求められた前記到着予想時刻に到着し得る経路を送信する経路送信手段をさらに備えることができる。
【００１２】
この発明の予約システムは、車両に搭載された移動体端末装置と、該移動体端末装置と通信を行う通信センタと、該通信センタからの通信に基づき交通機関の座席手配を行なう予約センタとを備えた予約システムであって、前記移動体端末装置は、前記移動体端末装置の位置情報を取得する位置情報取得手段と、目的地と前記位置情報取得手段により取得された位置情報とに基づき、該目的地への移動に用いる交通機関の乗車駅及び下車駅を決定する駅決定手段と、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段と、前記駅決定手段により決定された乗車駅及び下車駅と前記到着予想時刻算出手段により求められた到着予想時刻とを含む到着予想情報を前記通信センタヘ送信する到着予想情報送信手段と、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判斯した場合、前記駅決定手段により決定された乗車駅及び下車駅と該新たな到着予想時刻とを含む新たな到着予想情報を前記通信センタヘ送信する新到着予想情報送信手段とを備え、前記通信センタは、前記到着予想情報送信手段により送信された到着予想情報に含まれる乗車駅及び下車駅と到着予想時刻とに基づき、該乗車駅から該下車駅までの座席を予約する予約情報を前記予約センタヘ送信する予約情報送信手段と、前記新到着予想情報送信手段により送信された新たな到着予想情報に含まれる乗車駅及び下車駅と新たな到着予想時刻とに基づき、該乗車駅から該下車駅までの座席を予約する予約変更情報を前記予約センタヘ送信する予約変更情報送信手段とを備え、前記予約センタは、前記予約情報送信手段により送信された予約情報又は前記予約変更情報送信手段により送信された予約変更情報に基づき、交通機関の乗車駅から下車駅までの座席手配を行なう座席手配手段を備えたことを特徴とする。
【００１３】
ここで、この発明の予約システムにおいて、前記予約センタは、前記座席手配手段が前記予約情報又は前記予約変更情報に基づき交通機関の乗車駅から下車駅まで行なった座席手配の可否を前記通信センタヘ通知する手配結果通知手段をさらに備えることができる。
【００１４】
ここで、この発明の予約システムにおいて、前記通信センタは、前記手配結果通知手段により通知された座席手配の可否を前記移動体端末装置へ中継する手配結果中継手段をさらに備え、前記移動体端末装置は、前記新到着予想情報送信手段が最初に求められた前記到着予想時刻より前記新たな到着予想時刻が早いため前記座席の予約の変更を要すると判断し、前記駅決定手段により決定された乗車駅及び下車駅と該新たな到着予想時刻とを含む新たな到着予想情報を前記通信センタヘ送信した場合であって、且つ前記手配結果中継手段により座席手配が否であると中継された場合、乗車駅に最初に求められた前記到着予想時刻に到着し得る経路を求める経路探索手段をさらに備えることができる。
【００１５】
この発明のプログラムは、車両に搭載された移動体端末装置と、該移動体端末装置からの通信に基づき交通機関の座席手配を行なう予約センタとを備えた予約システムにおける該移動体端末装置のコンピュータで動作するプログラムであって、該コンピュータを、前記移動体端末装置の位置情報を取得する位置情報取得手段、目的地と前記位置情報取得手段により取得された位置情報とに基づき、該目的地への移動に用いる交通機関の乗車駅及び下車駅を決定する駅決定手段、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、前記到着予想時刻算出手段により求められた到着予想時刻に基づき、前記駅決定手段により決定された乗車駅から下車駅までの座席を予約する予約情報であって、該予約情報に基づき前記予約センタが交通機関の乗車駅から下車駅までの座席手配を行なうものを前記予約センタヘ送信する予約情報送信手段、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報であって、該予約変更情報に基づき前記予約センタが交通機関の乗車駅から下車駅までの座席手配を行なうものを前記予約センタヘ送信する予約変更情報送信手段として機能させるためのプログラムである。
【００１６】
ここで、この発明のプログラムにおいて、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記予約センタから前記予約変更情報に基づき交通機関の乗車駅から下車駅まで行なった座席手配が否であると通知された場合、乗車駅に最初に求められた前記到着予想時刻に到着し得る経路を求める経路探索手段をさらに備えることができる。
【００１７】
この発明のプログラムは、車両に搭載された移動体端末装置と、該移動体端末装置と通信を行う通信センタと、該通信センタからの通信に基づき交通機関の座席手配を行なう予約センタとを備えた予約システムにおける該通信センタのコンピュータ上で動作するプログラムであって、該コンピュータを、前記移動体端末装置の位置情報を取得する位置情報取得手段、前記移動体端末装置から送信された目的地と前記位置情報取得手段により取得された位置情報とに基づき、該目的地への移動に用いる交通機関の乗車駅及び下車駅を決定する駅決定手段、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、前記到着予想時刻算出手段により求められた到着予想時刻に基づき、前記駅決定手段により決定された乗車駅から下車駅までの座席を予約する予約情報であって、該予約情報に基づき前記予約センタが交通機関の乗車駅から下車駅までの座席手配を行なうものを前記予約センタヘ送信する予約情報送信手段、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報であって、該予約変更情報に基づき前記予約センタが交通機関の乗車駅から下車駅までの座席手配を行なうものを前記予約センタヘ送信する予約変更情報送信手段として機能させるためのプログラムである。
【００１８】
ここで、この発明のプログラムにおいて、前記予約変更情報送信手段が最初に求められた前記到着予想時刻より前記新たな到着予想時刻が早いため前記座席の予約の変更を要すると判断し、該新たな到着予想時刻に基づき該座席の予約を変更する予約変更情報を前記予約センタヘ送信した場合であって、且つ前記予約センタから前記予約変更情報に基づき交通機関の乗車駅から下車駅まで行なった座席手配が否であると通知された場合、前記移動体端末装置へ乗車駅に最初に求められた前記到着予想時刻に到着し得る径路を送信する経路送信手段をさらに備えることができる。
【００１９】
この発明のプログラムは、車両に搭載された移動体端末装置と、該移動体端末装置と通信を行う通信センタと、該通信センタからの通信に基づき交通機関の座席手配を行なう予約センタとを備えた予約システムにおける該移動体端末装置のコンピュータ上で動作するプログラムであって、該コンピュータを、前記移動体端末装置の位置情報を取得する位置情報取得手段、目的地と前記位置情報取得手段により取得された位置情報とに基づき、該目的地への移動に用いる交通機関の乗車駅及び下車駅を決定する駅決定手段、前記位置情報取得手段により取得された位置情報と前記駅決定手段により決定された乗車駅とに基づき、前記移動体端末装置を搭載した車両が該乗車駅に到着する到着予想時刻を求める到着予想時刻算出手段、前記駅決定手段により決定された乗車駅及び下車駅と前記到着予想時刻算出手段により求められた到着予想時刻とを含む到着予想情報であって、該到着予想情報に基づき前記通信センタが該乗車駅から該下車駅までの座席を予約する予約情報を前記予約センタヘ送信し、該予約情報に基づき前記予約センタが交通機関の乗車駅から下車駅までの座席手配を行なうものを前記通信センタヘ送信する到着予想情報送信手段、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、前記駅決定手段により決定された乗車駅及び下車駅と該新たな到着予想時刻とを含む新たな到着予想情報であって、該新たな到着予想情報に基づき前記通信センタが該乗車駅から該下車駅までの座席を予約する予約変更情報を前記予約センタヘ送信し、該予約変更情報に基づき前記予約センタが交通機関の乗車駅から下車駅までの座席手配を行なうものを前記通信センタヘ送信する新到着予想情報送信手段として機能させるためのプログラムである。
【００２０】
ここで、この発明のプログラムにおいて、前記新到着予想情報送信手段が最初に求められた前記到着予想時刻より前記新たな到着予想時刻が早いため前記座席の予約の変更を要すると判断し、前記駅決定手段により決定された乗車駅及び下車駅と該新たな到着予想時刻とを含む新たな到着予想情報を前記通信センタヘ送信した場合であって、且つ前記予約センタから前記通信センタヘ座席手配が否であると通知され該通信センタから前記移動体端末装置へ座席手配が否であると中継された場合、乗車駅に最初に求められた前記到着予想時刻に到着し得る経路を求める経路探索手段をさらに備えることができる。
【００２１】
この発明の記録媒体は、本発明のいずれかに記載のプログラムを記録したコンピュータ読取り可能な記録媒体である。
【００２２】
この発明の予約方法は、車両に搭載された移動本端末装置と、該移動体端末装置からの通信に基づき交通機関の座席手配を行なう予約センタとを備えた予約方法であって、前記移動体端末装置が、前記移動体端末装置の位置情報を取得する位置情報取得ステップと、目的地と前記位置情報取得ステップで取得された位置情報とに基づき、該目的地への移動に用いる交通機関の乗車駅及び下車駅を決定する駅決定ステップと、前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、前記到着予想時刻算出ステップで求められた到着予想時刻に基づき、前記駅決定ステップにより決定された乗車駅から下車駅までの座席を予約する予約情報を前記予約センタヘ送信する予約情報送信ステップと、前記予約センタが、前記予約情報送信ステップで送信された予約情報に基づき、交通機関の乗車駅から下車駅までの座席手配を行なう座席手配ステップとを備え、前記移動体端末装置は、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信し、前記予約センタは、送信された該予約変更情報に基づき、交通機関の乗車駅から下車駅までの座席手配を行なうことを特徴とする。
【００２３】
この発明の予約方法は、車両に搭載された移動体端末装置と、該移動体端末装置と通信を行う通信センタと、該通信センタからの通信に基づき交通機関の座席手配を行なう予約センタとを備えた予約方法であって、前記移動体端末装置が、前記通信センタヘ目的地を送信する目的地送信ステップと、前記通信センタが、前記移動体端末装置の位置情報を取得する位置情報取得ステップと、前記目的地送信ステップで送信された目的地と前記位置情報取得ステップで取得された位置情報とに基づき、該目的地への移動に用いる交通機関の乗車駅及び下車駅を決定する駅決定ステップと、前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、前記到着予想時刻算出ステップで求められた到着予想時刻に基づき、前記駅決定ステップにより決定された乗車駅から下車駅までの座席を予約する予約情報を前記予約センタヘ送信する予約情報送信ステップと、前記予約センタが、前記予約情報送信ステップで送信された予約情報に基づき、交通機関の乗車駅から下車駅までの座席手配を行なう座席手配ステップとを備え、前記通信センタは、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、該新たな到着予想時刻に基づき該座席の予約を変更する予約変更情報を前記予約センタヘ送信し、前記予約センタは、送信された該予約変更情報に基づき、交通機関の乗車駅から下車駅までの座席手配を行なうことを特徴とする。
【００２４】
この発明の予約方法は、車両に搭載された移動体端末装置と、該移動体端末装置と通信を行う通信センタと、該通信センタからの通信に基づき交通機関の座席手配を行なう予約センタとを備えた予約方法であって、前記移動体端末装置が、前記移動体端末装置の位置情報を取得する位置情報取得ステップと、目的地と前記位置情報取得ステップで取得された位置情報とに基づき、該目的地への移動に用いる交通機関の乗車駅及び下車駅を決定する駅決定ステップと、前記位置情報取得ステップで取得された位置情報と前記駅決定ステップで決定された乗車駅とに基づき、前記移動体端末装置を搭載した車両が該乗車駅に到着する到着予想時刻を求める到着予想時刻算出ステップと、前記駅決定ステップで決定された乗車駅及び下車駅と前記到着予想時刻算出ステップで求められた到着予想時刻とを含む到着予想情報を前記通信センタヘ送信する到着予想情報送信ステップと、前記通信センタが、前記到着予想情報送信ステップで送信された到着予想情報に含まれる乗車駅及び下車駅と到着予想時刻とに基づき、該乗車駅から該下車駅までの座席を予約する予約情報を前記予約センタヘ送信する予約情報送信ステップと、前記予約センタが、前記予約情報送信ステップで送信された予約情報又は前記予約変更情報送信ステップで送信された予約変更情報に基づき、交通機関の乗車駅から下車駅までの座席手配を行なう座席手配ステップとを備え、前記移動体端末装置は、前記移動体端末装置の現在の位置情報を所定の期間毎に取得して該現在の位置情報により該乗車駅に到着する新たな到着予想時刻を求め、最初に求められた前記到着予想時刻と該新たな到着予想時刻とに基づき前記座席の予約の変更を要すると判断した場合、前記駅決定ステップで決定された乗車駅及び下車駅と該新たな到着予想時刻とを含む新たな到着予想情報を前記通信センタヘ送信し、前記通信センタは、送信された該新たな到着予想情報に含まれる乗車駅及び下車駅と新たな到着予想時刻とに基づき、該乗車駅から該下車駅までの座席を予約する予約変更情報を前記予約センタヘ送信し、前記予約センタは、送信された該予約変更情報に基づき、交通機関の乗車駅から下車駅までの座席手配を行なうことを特徴とする。
【発明の効果】
【００２５】
本発明の予約システム等によれば、移動体端末装置を搭載した自動車の搭乗者が到達しようとする所望の目的地と現在時刻（＝ｔ０）の位置情報Ｐ（ｔ０）とに基づき、移動体端末装置は目的地への移動に用いる交通機関の乗車駅および下車駅を決定することができる。位置情報Ｐ（ｔ０）と乗車駅とに基づき、自動車が乗車駅に到着する到着予想時刻Ｔ（ｔ０）を求め、到着予想時刻Ｔ（ｔ０）に基づき、乗車駅から下車駅までの座席を予約する予約情報を予約センタヘ送信することができる。予約センタは送信された予約情報Ｒに基づき、交通機関の乗車駅から下車駅までの座席手配を行ない、座席手配の可否を移動体端末装置へ通知することができる。この結果、移動体端末装置は乗車駅への到着予想時刻Ｔ（ｔ０）に基づき、予約センタに交通機関の乗車駅から下車駅までの座席手配を行なわせることができるという効果がある。
【００２６】
さらに、移動体端末装置の現在の位置情報Ｐ（ｔｊ）を所定の期間毎に取得して、現在の位置情報Ｐ（ｔｊ）により乗車駅に到着する新たな到着予想時刻Ｔ（ｔｊ）を求め、最初に求められた到着予想時刻Ｔ（ｔ０）と新たな到着予想時刻Ｔ（ｔｊ）とに基づき座席の予約の変更を要するか否かを判断することができる。新たな到着予想時刻Ｔ（ｔｊ）が到着予想時刻Ｔ（ｔ０）より遅れると判断した場合、新たな到着予想時刻Ｔ（ｔｊ）に基づき座席の予約を変更する予約変更情報を予約センタヘ送信することにより、移動体端末装置は乗車駅への新たな到着予想時刻Ｔ（ｔｊ）に基づき、予約センタに交通機関の乗車駅から下車駅までの従前の予約を変更させ、新たな座席手配を行なわせることができるという効果がある。
【発明を実施するための最良の形態】
【００２７】
以下、各実施例について図面を参照して詳袖に説明する。
【実施例１】
【００２８】
図１は、本発明の実施例１における予約システム１０を示す。図１において、符号２０は自動車（車両）、２２は自動車２０に搭載された移動体端末装置、２４は移動体端末装置２２と接続されたダイバーシティ・アンテナ(diversity antenna)等のＧＰＳ(Global Positioning System)受信用アンテナである。符号６２はパケット通信網、６４はパケット通信網６２に接続された基地局、６０はパケット通信網６２に接続された通信会社等の情報センタ、５０はインターネット、５６および５２はインターネット５０と接続されルーティング機能を有するルータ、４０はルータ５２によりインターネット５０と接続され移動体端末装置２２からの通信に基づき交通機関５の座席手配を行なう予約センタである。図１では図面の都合上、基地局６４は１つのみ示してあるが、複数個あってもよいことは勿論であり、移動体端末装置２２は基地局６４等と広域無線通信を行うことができる。符号５４はインターネット５０と接続されたアクセスポイントであり、移動体端末装置２２はアクセスポイント５４により形成された無線ＬＡＮ（Local Area Network)エリアにおいてアクセスポイント５４と無線通信を行うことができる。図１では図面の都合上、アクセスポイント５４は１つのみ示してあるが、複数個あってもよいことは勿論である。符号４５は予約センタ４０と有線で接続された路側機であり、移動体端末装置２２は、路側機４５と狭域通信(Dedicated Short Range Communications : ＤＳＲＣ）を行なうことができる。図１では図面の都合上、路側機４５は１つのみ示してあるが、複数個あってもよいことは勿論である。移動体端末装置２２は自動車２０の移動により、基地局６４等、アクセスポイント５４等または路側機４５等と切替えて予約センタ４０と通信を行うことができる。
【００２９】
次に、移動体端末装置２２の機能について説明する。図１では、移動体端末装置２２の機能はブロック２６ａないし３６により示されている。図１において、符号２６ａは移動体端末装置２２の位置情報Ｐを取得する位置情報取得部（位置情報取得手段）であり、例えばＧＰＳ受信用アンテナ２４を用いてＧＰＳを利用することにより位置情報Ｐを取得することができる。
【００３０】
符号２８ａは、自動車２０の搭乗者が到達しようとする所望の目的地３と位置情報取得部２６ａにより取得された現在時刻（＝ｔ０）の位置情報Ｐ（ｔ０）とに基づき、目的地３への移動に用いる交通機関５の乗東駅１および下車駅２を決定する駅決定部（駅決定手段）である。図１では交通機関５は鉄道として表示されているが、バス、モノレール等の車両であってもよく、種々の交通機関の組合せであってもよい。栗東駅１の決定により自動車２０は乗東駅１へ向かって走行することになる。
【００３１】
符号３０ａは、位置情報取得部２６ａにより取得された位置情報Ｐ（ｔ０）と駅決定部２８ａにより決定された乗車駅１とに基づき、移動体端末装置２２を搭載した自動車２０が乗車駅１に到着する到着予想時刻Ｔ（ｔ０）を求める到着予想時刻算出部（到着予想時刻算出手段）である。移動体端末装置２２にはカーナビゲーションシステムが備えられており、このカーナビゲーションシステムにより現在の位置情報Ｐ（ｔ０）により示される現在位置と乗車駅１との間の経路を探索し、当該経路を走行する所要時間を求めて乗東駅Ｔに到着する到着予想時刻Ｔ（ｔ０）を求めることができる。探索された経路は通常のカーナビゲーションシステムにおける場合と同様に、カーナビゲーション装置または移動体端末装置２２の表示部８４（後述）に表示され、自動車２０のドライバは当該経路に従って走行することができる。
【００３２】
符号３２ａは、到着予想時刻算出部３０ａにより求められた到着予想時刻Ｔ（ｔ０）に基づき、駅決定部２８ａにより決定された乗車駅１から下車駅２までの座席を予約する予約情報Ｒを予約センタ４０へ送信する予約情報送信部（予約情報送信手段）である。予約情報Ｒは、例えば（予約申込コード、移動体端末装置２２の識別子、乗車駅１、到着予想時刻Ｔ（ｔ０）、下車駅２）のような情報により構成することができる。予約センタ４０は予約が完了した場合、移動体端末装置２２へ例えば（予約完了コード、移動体端末装置２２の識別子、予約内容（乗車駅１の出発時刻、交通機関５の座席位置等））のような情報を送り返すことができる。
【００３３】
符号３４ａは予約変更情報送信部（予約変更情報送信手段）であり、移動体端末装置２２の現在の位置情報Ｐ（ｔｊ）（例えば、ｔｊ＝ｔ０十Δｔ）を所定の期間(＝Δｔ)毎に取得して、現在の位置情報Ｐ（ｔｊ）により乗車駅１に到着する新たな到着予想時刻Ｔ（ｔｊ）を求め、最初に求められた到着予想時刻Ｔ（ｔ０）と新たな到着予想時刻Ｔ（ｔｊ）とに基づき座席の予約の変更を要するか否かを判断する。予約変更情報送信部３４ａは、例えば経路における交通渋滞等により新たな到着予想時刻Ｔ（ｔｊ）が到着予想時刻Ｔ（ｔ０）より遅れると判断した場合、新たな到着予想時刻Ｔ（ｔｊ）に基づき座席の予約を変更する予約変更情報ＣＨＲを予約センタ４０へ送信する。上述のように予約センタ４０から乗車駅１の出発時刻を得ていた場合は、新たな到着予想時刻Ｔ（ｔｊ）が最初に求められた到着予想時刻Ｔ（ｔ０）より遅れる場合であっても当該出発時刻に間に合うと判断すれば、予約変更情報ＣＨＲを送信しないようにすることもできる。予約変更情報ＣＨＲは、例えば（予約変更コード、移動体端末装置２２の識別子、乗車駅１、到着予想時刻Ｔ（ｔｊ）、下車駅２）のような情報により構成することができる。予約センタ４０は予約変更が完了した場合、移動体端末装置２２へ例えば（予約変更完了コード、移動体端末装置２２の識別子、予約変更後の内容（乗車駅１の出発時刻、交通機関５の座席位置等））のような情報を送り返すことができる。経路探索部３６については後述する。
【００３４】
次に、予約センタ４０の機能について説明する。図１において、予約センタ４０の機能はブロック４２ａおよび４４ａにより示されている。図１に示されるように、符号４２ａは予約情報送信部３２ａにより送信された予約情報Ｒまたは予約変更情報送信部３４ａにより送信された予約変更情報ＣＨＲに基づき、交通機関５の乗車駅１から下車駅２までの座席手配を行なう座席手配部（座席手配手段）である。
【００３５】
符号４４ａは、座席手配部４２ａが予約情報Ｒまたは予約変更情報ＣＨＲに基づき交通機関５の乗車駅１から下車駅２まで行なった座席手配の可否を移動体端末装置２２へ通知する手配結果通知部（手配結果通知手段）である。上述のように、当該通知は予約が完了した場合、例えば（予約完了コード、移動体端末装置２２の識別子、予約内容（乗車駅１の出発時刻、交通機関５の座席位置等））のような情報とすることができる。予約変更が完了した場合、例えば（予約変更完了コード、移動体端末装置２２の識別子、予約変更後の内容（乗車駅１の出発時刻、交通機関５の座席位置等））のような情報とすることができる。
【００３６】
移動体端末装置２２は経路探索部３６を備えており、経路探索部３６は、予約変更情報送信部３４ａが最初に求められた到着予想時刻Ｔ（ｔ０）より新たな到着予想時刻Ｔ（ｔｋ）が早いため座席の予約の変更を要すると判断した場合についての処理を行なう。より詳しくは、新たな到着予想時刻Ｔ（ｔｋ）に基づき座席の予約を変更する予約変更情報ＣＨＲを予約センタ４０へ送信した場合であって、且つ手配結果通知部４４ａにより座席手配が否であると通知された場合、乗車駅１に最初に求められた到着予想時刻Ｔ（ｔ０）に到着し得る経路を求める。つまり、経路の交通状況が良好等であったため、予約変更情報送信部３４ａが到着予想時刻Ｔ（ｔ０）より早い新たな到着予想時刻Ｔ（ｔｋ）に乗車駅１に到着すると判断し予約変更情報ＣＨＲを予約センタ４０へ送信したが、新たな到着予想時刻Ｔ（ｔｋ）に応じた交通機関５の座席が空いていなかったため予約センタ４０が座席の手配を行なうことができなかった場合、経路探索部３６は最初に求められた到着予想時刻Ｔ（ｔ０）に乗車駅１に到着するような意図的な迂回経路を装備されたカーナビゲーションシステムを用いて探索する。探索された意図的な迂回経路は通常のカーナビゲーションシステムにおける場合と同様に、カーナビゲーション装置または移動体端末装置２２の表示部８４（後述）に表示され、自動車２０のドライバは当該意図的な迂回経路に従って走行することができる。この結果、自動車２０は新たな到着予想時刻Ｔ（ｔｋ）より遅れて到着することになるが、結果的には自動車２０の搭乗者の乗車駅１における出発時刻までの待ち時間を少なくすることになる。
【００３７】
図２は、本発明の実施例１における予約方法またはプログラムの処理の流れをフローチャートで示す。図２において、左側のフローチャートは移動体端末装置２２側の処理の流れを示し、右側のフローチャートは予約センタ４０側の処理の流れを示し、両者間の通信は両者の処理ブロック間を結ぶ点線により示す。図２に示されるように、移動体端末装置２２が時刻ｔ０における位置情報Ｐ（ｔ０）を取得する（位置情報取得ステップ。ステップＳ１０ａ)。次に、目的地３と位置情報取得ステップ（ステップＳ１０ａ)で取得された位置情報Ｐ（ｔ０）とに基づき、目的地３への移動に用いる交通機関５の乗車駅１および下車駅２を決定する（駅決定ステップ。ステップＳ１２ａ)。続いて、位置情報取得ステップ（ステップＳ１０ａ)で取得された位置情報Ｐ（ｔ０）と駅決定ステップ（ステップＳ１２ａ）で決定ざれた乗車駅１とに基づき、移動体端末装置２２を搭載した自動車２０が乗車駅１に到着する到着予想時刻Ｔ（ｔ０）を求める（到着予想時刻算出ステップ。ステップＳ１４ａ)。到着予想時刻算出ステップ（ステップＳ１４ａ)で求められた到着予想時刻Ｔ（ｔ０）に基づき、駅決定ステップ（ステップＳ１２ａ)により決定された乗車駅１から下車駅２までの座席を予約する予約情報Ｒを予約センタ４０へ送信する（予約情報送信ステップ。ステップＳ１６ａ)。
【００３８】
予約センタ４０は、予約情報送信ステップ（ステップＳ１６ａ)で送信された予約情報Ｒに基づき、交通機関５の乗車駅１から下車駅２までの座席手配を行なう（座席手配ステップ。ステップＳ３０ａ）。
【００３９】
移動体端末装置２２は、移動体端末装置２２の現在の位置情報Ｐ（ｔｊ）を所定の期間  (＝Δｔ)毎に取得して、現在の位置情報Ｐ（ｔｊ）により乗車駅１に到着する新たな到着予想時刻Ｔ（ｔｊ）を求める。ここで、最初に求められた到着予想時刻Ｔ（ｔ０）と新たな到着予想時刻Ｔ（ｔｊ）とに基づき座席の予約の変更を要すると判断した場合、新たな到着予想時刻Ｔ（ｔｊ）に基づき座席の予約を変更する予約変更情報ＣＨＲを予約センタ４０へ送信して（ステップＳ２０ａ、Ｓ２２ａ)、処理を終了する。一方、ステップＳ２０ａで座席の予約の変更を要しないと判断した場合は処理を終了する。
【００４０】
予約センタ４０は、送信された予約変更情報ＣＨＲに基づき、交通機関５の乗車駅１から下車駅２までの座席手配を行なう（ステップＳ３２ａ)。
【００４１】
以上より、本発明の実施例１によれば、自動車２０の搭乗者が到達しようとする所望の目的地３と位置情報取得部２６ａにより取得された現在時刻（＝ｔ０）の位置情報Ｐ（ｔ０）とに基づき、駅決定部２８ａが目的地３への移動に用いる交通機関５の乗車駅１および下車駅２を決定する。到着予想時刻算出部３０ａは、位置情報Ｐ（ｔ０）と乗車駅１とに基づき、移動体端末装置２２を搭載した自動車２０が乗車駅１に到着する到着予想時刻Ｔ（ｔ０）を求める。予約情報送信部３２ａは到着予想時刻Ｔ（ｔ０）に基づき、乗車駅１から下車駅２までの座席を予約する予約情報Ｒを予約センタ４０へ送信する。予約センタ４０の座席手配部４２ａは、予約情報送信部３２ａにより送信された予約情報Ｒに基づき、交通機関５の乗車駅１から下車駅２までの座席手配を行なう。手配結果通知部４４ａは、座席手配部４２ａが予約情報Ｒに基づき交通機関５の乗車駅１から下車駅２まで行なった座席手配の可否を移動体端末装置２２へ通知する。以上により、移動体端末装置２２は乗車駅１への到着予想時刻Ｔ（ｔ０）に基づき、予約センタ４０に交通機関５の乗車駅１から下車駅２までの座席手配を行なわせることができる。
【００４２】
予約変更情報送信部３４ａは移動体端末装置２２の現在の位置情報Ｐ（ｔｊ）を所定の期間（＝Δｔ）毎に取得して、現在の位置情報Ｐ（ｔｊ）により乗車駅１に到着する新たな到着予想時刻Ｔ（ｔｊ）を求め、最初に求められた到着予想時刻Ｔ（ｔ０）と新たな到着予想時刻Ｔ（ｔｊ）とに基づき座席の予約の変更を要するか否かを判断する。予約変更情報送信部３４ａは新たな到着予想時刻Ｔ（ｔｊ）が到着予想時刻Ｔ（ｔ０）より遅れると判断した場合、新たな到着予想時刻Ｔ（ｔｊ）に基づき座席の予約を変更する予約変更情報ＣＨＲを予約センタ４０へ送信する。予約センタ４０の座席手配部４２ａは、予約変更情報送信部３４ａにより送信された予約変更情報ＣＨＲに基づき、交通機関５の乗車駅１から下車駅２までの座席手配を行なう。手配結果通知部４４ａは、座席手配部４２が予約変更情報ＣＨＲに基づき交通機関５の乗車駅１から下車駅２まで行なった座席手配の可否を移動体端末装置２２へ通知する。以上により、移動体端末装置２２は乗車駅１への新たな到着予想時刻Ｔ（ｔｊ）に基づき、予約センタ４０に交通機関５の乗車駅１から下車駅２までの従前の予約を変更させ新たな座席手配を行なわせることができる。以上により、自動車２０の搭乗者（ユーザ）が交通機関５の座席予約を行なった後に、自動車２０の進行状況に遅れまたは進みが生じた場合、即応的且つユーザの介入を要することなく予約を変更することができる予約システム等を提供することができる。
【００４３】
移動体端末装置２２の経路探索部３６は、予約変更情報送信部３４ａが最初に求められた到着予想時刻Ｔ（ｔ０）より新たな到着予想時刻Ｔ（ｔｋ）が早いため座席の予約の変更を要すると判断した場合についての処理を行なうことができる。経路探索部３６は新たな到着予想時刻Ｔ（ｔｋ）に基づき座席の予約を変更する予約変更情報ＣＨＲを予約センタ４０へ送信した場合であって、且つ手配結果通知部４４ａにより座席手配が否であると通知された場合、乗車駅１に最初に求められた到着予想時刻Ｔ（ｔ０）に到着し得る経路を求めることができる。つまり、新たな到着予想時刻Ｔ（ｔｋ）に応じた交通機関５の座席が空いていなかったため予約センタ４０が座席の手配を行なうことができなかった場合、経路探索部３６は最初に求められた到着予想時刻Ｔ（ｔ０）に乗車駅１に到着するような意図的な迂回経路を探索することができる。当該意図的な迂回経路に従って自動車２０を走行させることにより、自動車２０は新たな到着予想時刻Ｔ（ｔｋ）より遅れて到着することになるが、結果的には自動車２０の搭乗者の乗車駅１における出発時刻までの待ち時間を少なくすることができる。
【実施例２】
【００４４】
上述の実施例１では移動体端末装置２２側で乗車駅１への到着時刻を予想させる処理を行わせたが、本実施例２では移動体端末装置２２と通信を行う通信センタ７０を新たに設置して、通信センタ７０に乗車駅１への到着時刻を予想させる処理を行わせる。
【００４５】
図３は、本発明の実施例２における予約システム１２を示す。図３で図１と同じ符号を付した要素は同じ機能を有するため説明は省略する。図３で図１の符号と末尾の英文字のみ異なる要素（例えば、図３の２６ｂと図１の２６ａ)は当該要素の機能を実行するコンピュータが変更となり、主としてその入出力先が変更となった要素であるため、説明は簡略にとどめるものとする。
【００４６】
図３において、移動体端末装置２２の機能はブロック３８により示されており、ブロック３８は通信センタ７０へ目的地１を送信する目的地送信部（目的地送信手段）である。目的地送信部３８は、例えば（目的地設定コード、移動体端末装置２２の識別子、目的地３）のような情報を通信センタ７０へ送信するだけでよい。移動体端末装置２２は自動車２０の移動により、基地局６４等、アクセスポイント５４等または路側機４５等と切替えて通信センタ７０と通信を行うことができる。図３により示されるように、路側機４５等は実施例１と異なり通信センタ７０と接続されている。
【００４７】
次に、通信センタ７０の機能について説明する。図３では、通信センタ７０の機能はブロック２６ｂないし３７により示されている。図３において、符号２６ｂは移動体端末装置２２の位置情報Ｐを取得する位置情報取得部（位置情報取得手段）であり、例えば情報センタ６０に登録された移動体端末装置２２の位置情報Ｐを第三者位置検索として利用することにより位置情報Ｐを取得することができる。
【００４８】
符号２８ｂは、移動体端末装置２２の目的地送信部３８により送信された自動車２０の搭乗者が到達しようとする所望の目的地３と位置情報取得部２６ｂにより取得された現在時刻（＝ｔ０）の位置情報Ｐ（ｔ０）とに基づき、目的地３への移動に用いる交通機関５の乗車駅１および下車駅２を決定する駅決定部（駅決定手段）である。駅決定部２８ｂは実施例１の駅決定部２８ａと異なり、目的地送信部３８により送信された目的地３を用いる。
【００４９】
符号３０ｂは、位置情報取得部２６ｂにより取得された位置情報Ｐ（ｔ０）と駅決定部２８ｂにより決定された乗車駅１とに基づき、移動体端末装置２２を搭載した自動車２０が乗車駅１に到着する到着予想時刻Ｔ（ｔ０）を求める到着予想時刻算出部（到着予想時刻算出手段）である。実施例２では実施例１と異なり、通信センタ７０側で到着予想時刻Ｔ（ｔ０）を求める。
【００５０】
符号３２ｂは、到着予想時刻算出部３０ｂにより求められた到着予想時刻Ｔ（ｔ０）に基づき、駅決定部２８ｂにより決定された乗車駅１から下車駅２までの座席を予約する予約情報Ｒを予約センタ４０へ送信する予約情報送信部（予約情報手段送信）である。予約情報送信部３２ｂは実施例１の予約情報送信部３２ａと基本的に同様の機能を有しているが、予約情報Ｒは実施例１と異なり通信センタ７０から予約センタ４０へ送信される。
【００５１】
符号３４ｂは予約変更情報送信部（予約変更情報送信手段）であり、移動体端末装置２２の現在の位置情報Ｐ（ｔｊ）（例えば、ｔｊ＝ｔ０十Δｔ）を所定の期間(＝Δｔ)毎に取得して、現在の位置情報Ｐ（ｔｊ）により乗車駅１に到着する新たな到着予想時刻Ｔ（ｔｊ）を求め、最初に求められた到着予想時刻Ｔ（ｔ０）と新たな到着予想時刻Ｔ（ｔｊ）とに基づき座席の予約の変更を要するか否かを判断する。予約変更情報送信部３４ｂは、実施例１の予約変更情報送信部３４ａと基本的に同様の機能を有しているが、実施例１と異なり座席の予約の変更を要するか否かの判断は通信センタ７０側で行われる。経路送信部３７については後述する。
【００５２】
次に、予約センタ４０の機能について説明する。予約センタ４０における座席手配部４２ｂ（座席手配手段）および手配結果通知部４４ｂ(手配結果通知手段）は、基本的に実施例１と同様の機能を有している。実施例１と異なる点は、予約情報Ｒまたは予約変更情報ＣＨＲの送信元が通信センタ７０である点と、座席手配の可否を通知する送信先が通信センタ７０である点とである。
【００５３】
通信センタ７０の経路送信部３７（経路送信手段）は、基本的に実施例１の経路探索部３６と同様の機能を有しているが、経路探索部３６が意図的な迂回経路を探索するだけであるのに対し、経路送信部３７は意図的な迂回経路を探索した後、当該迂回経路を移動体端末装置２２側へ送信する点が異なる。いずれの場合であっても結果的には、探索された意図的な迂回経路は通常のカーナビゲーションシステムにおける場合と同様に、カーナビゲーション装置または移動体端末装置２２の表示部８４（後述）に表示され、自動車２０のドライバは当該意図的な迂回経路に従って走行することができる。自動車２０の搭乗者の乗車駅１における出発時刻までの待ち時間を少なくすることになる点に関しても同様である。
【００５４】
図４は、本発明の実施例２における予約方法またはプログラムの処理の流れをフローチャートで示す。図４において、左側のフローチャートは移動体端末装置２２側の処理の流れを示し、中央のフローチャートは通信センタ７０の処理の流れを示し、右側のフローチャートは予約センタ４０側の処理の流れを示し、各々の間の通信は各々の処理ブロック間を結ぶ点線により示す。図４で図２と同じ符号を付した処理ブロックは同じ機能を有するため説明は省略する。図４で図２の符号と末尾の英文字のみ異なる要素（例えば、図４のステップＳ１０ｂと図２のＳ１０ａ)は当該ブロックの機能を実行するコンピュータが変更となり、主としてその入出力先が変更となった要素であるため、説明は簡略にとどめるものとする。
【００５５】
図４に示されるように、まず移動体端末装置２２が、通信センタ７０へ目的地３を送信する（目的地送信ステップ。ステップＳ５）。
【００５６】
次に、通信センタ７０が、時刻ｔ０における移動体端末装置２２の位置情報Ｐ（ｔ０）を取得する（位置情報取得ステップ。ステップＳ１０ｂ）。目的地送信ステップ（ステップＳ５）で送信された目的地３と位置情報取得ステップ（ステップＳ１０ｂ）で取得された位置情報Ｐ（ｔ０）とに基づき、目的地３への移動に用いる交通機関５の乗車駅１および下車駅２を決定する（駅決定ステップ。ステップＳ１２ｂ)。続いて、位置情報取得ステップ（ステップＳ１０ｂ）で取得された位置情報Ｐ（ｔ０）と駅決定ステップ（ステップＳ１２ｂ）で決定された乗車駅１とに基づき、移動体端末装置２２を搭載した自動車２０が乗車駅１に到着する到着予想時刻Ｔ（ｔ０）を求める（到着予想時刻算出ステップ。ステップＳ１４ｂ)。到着予想時刻算出ステップ（ステップＳ１４ｂ)で求められた到着予想時刻Ｔ（ｔ０）に基づき、駅決定ステップ（ステップＳ１２ｂ)により決定された乗車駅１から下車駅２までの座席を予約する予約情報Ｒを予約センタ４０へ送信する（予約情報送信ステップ。ステップＳ１６ｂ)。以上のように、実施例２では通信センタ７０側が移動体端末装置２２を搭載した自動車２０が乗車駅１に到着する到着予想時刻Ｔ（ｔ０）を求めて、予約センタ４０へ予約情報Ｒを送信する。
【００５７】
予約センタ４０は、予約情報送信ステップ（ステップＳ１６ｂ)で送信された予約情報Ｒに基づき、交通機関５の乗車駅１から下車駅２までの座席手配を行なう（座席手配ステップ。ステップＳ３０ｂ）。
【００５８】
通信センタ７０は、移動体端末装置２２の現在の位置情報Ｐ（ｔｊ）を所定の期間（Δｔ）毎に取得して、現在の位置情報Ｐ（ｔｊ）により乗車駅１に到着する新たな到着予想時刻Ｔ（ｔｊ）を求める。ここで、最初に求められた到着予想時刻Ｔ（ｔ０）と新たな到着予想時刻Ｔ（ｔｊ）とに基づき座席の予約の変更を要すると判断した場合、新たな到着予想時刻Ｔ（ｔｊ）に基づき座席の予約を変更する予約変更情報ＣＨＲを予約センタ４０へ送信して（ステップＳ２０ｂ、Ｓ２２ｂ)、処理を終了する。一方、ステップＳ２０ｂで座席の予約の変更を要しないと判断した場合は処理を終了する。以上のように、実施例２では通信センタ７０側が座席の予約の変更を要するか否かの判断を行ない、座席の予約の変更を要すると判断した場合、座席の予約を変更する予約変更情報ＣＨＲを予約センタ４０へ送信する。
【００５９】
予約センタ４０は、通信センタ７０側から送信された予約変更情報ＣＨＲに基づき、交通機関５の乗車駅１から下車駅２までの座席手配を行なう（ステップＳ３２ｂ)。
【００６０】
以上より、本発明の実施例２によれば、自動車２０に搭載された移動体端末装置２２と通信を行う通信センタ７０を新たに設置する。移動体端末装置２２の目的地送信部３８は、目的地３を通信センタ７０へ送信する。通信センタ７０側は自動車２０が乗車駅１に到着する到着予想時刻Ｔ（ｔ０）を求め、予約センタ４０へ予約情報Ｒを送信する。通信センタ７０側が座席の予約の変更を要するか否かの判断を行ない、座席の予約の変更を要すると判断した場合、座席の予約を変更する予約変更情報ＣＨＲを予約センタ４０へ送信する。通信センタ７０を新たに設置することにより、自動車２０の搭乗者（ユーザ）は通信センタ７０側へ目的地３を送信するだけで、座席の予約および変更はすべて通信センタ７０側で行うことができる。従って、実施例２においても実施例１と同様に、ユーザが交通機関５の座席予約を行なった後に、自動車２０の進行状況に遅れまたは進みが生じた場合、即応的且つユーザの介入を要することなく予約を変更することができる予約システム等を提供することができる。
【実施例３】
【００６１】
上述の実施例２では、移動体端末装置２２側は目的地３を通信センタ７０へ送信するだけで、後の交通機関５の座席の予約および変更は通信センタ７０側で行わせた。本実施例３では、移動体端末装置２２側で自動車２０が乗車駅１に到着する時刻の予想等を行い、通信センタ７０側が予約センタ４０との間の予約等の中継を行なうというように機能を分散させる。
【００６２】
図５は、本発明の実施例３における予約システム１４を示す。図５で図１または図３と同じ符号を付した要素は同じ機能を有するため説明は省略する。図５で図１または図３の符号と末尾の英文字のみ異なる要素（例えば、図５の３２ｃと図３の３２ｂ)は当該要素の機能を実行するコンピュータが変更となり、主としてその入出力先が変更となった要素であるため、説明は簡略にとどめるものとする。
【００６３】
まず、移動体端末装置２２の機能について説明する。図５では、移動体端末装置２２の機能はブロック２６ａないし３６により示されている。図５において、位置情報取得部２６ａ（位置情報取得手段）、駅決定部（駅決定手段)２８ａ、到着予想時刻算出部３０ａ（到着予想時刻算出手段）および経路探索部３６（経路探索手段）は実施例１と同様の機能を有するため説明は省略する。
【００６４】
図５において、符号３３は、駅決定部２８ａにより決定された乗車駅１および下車駅２と到着予想時刻算出部３０ａにより求められた到着予想時刻Ｔ（ｔ０）とを含む到着予想情報ＡＲを通信センタ７０へ送信する到着予想情報送信部（到着予想情報送信手段）である。到着予想情報ＡＲは、例えば（到着予想コード、移動体端末装置２２の識別子、乗車駅１、到着予想時刻Ｔ（ｔ０）、下車駅２）のような情報により構成することができる。到着予想情報送信部３３は、実施例１の予約情報送信部３２ａのように移動体端末装置２２側から直接予約センタ４０へ予約情報Ｒを送信せず、その代り予約に必要な到着予想情報ＡＲを通信センタ７０へ送信する。
【００６５】
符号３５は新到着予想情報送信部（新到着予想情報送信手段）であり、移動体端末装置２２の現在の位置情報Ｐ（ｔｊ）を所定の期間(＝Δｔ)毎に取得して、現在の位置情報Ｐ（ｔｊ）により乗車駅１に到着する新たな到着予想時刻Ｔ（ｔｊ）を求め、最初に求められた到着予想時刻Ｔ（ｔ０）と新たな到着予想時刻Ｔ（ｔｊ）とに基づき座席の予約の変更を要するか否かを判断する。新到着予想情報送信部３５は、座席の予約の変更を要すると判断した場合、駅決定部２８ａにより決定された乗車駅１及び下車駅２と新たな到着予想時刻Ｔ（ｔｊ）とを含む新たな到着予想情報ＮＡＲを通信センタ７０へ送信する。新到着予想情報ＮＡＲは、例えば（新到着予想コード、移動体端末装置２２の識別子、乗車駅１、到着予想時刻Ｔ（ｔｊ）、下車駅２）のような情報により構成することができる。新到着予想情報送信部３５は、実施例１の予約変更情報送信部３４ａのように移動体端末装置２２側から直接予約センタ４０へ予約変更情報Ｒを送信せず、その代り予約変更に必要な新たな到着予想情報ＮＡＲを通信センタ７０へ送信する。
【００６６】
次に、通信センタ７０の機能について説明する。図５では、通信センタ７０の機能はブロック３２ｃおよび３４ｃにより示されている。図５において、符号３２ｃは、移動体端末装置２２の到着予想情報送信部３３により送信された到着予想情報ＡＲに含まれる乗車駅１および下車駅２と到着予想時刻Ｔ（ｔ０）とに基づき、乗車駅１から下車駅２までの座席を予約する予約情報Ｒを予約センタ７０へ送信する予約情報送信部（予約情報送信手段）である。予約情報送信部３２ｃは実施例２の予約情報送信部３２ｂと異なり、移動体端末装置２２側の到着予想情報送信部３３により送信された到着予想情報ＡＲに基づいて予約情報Ｒを予約センタ７０へ送信する。
【００６７】
符号３４ｃは、移動体端末装置２２の新到着予想情報送信部３５により送信された新たな到着予想情報ＮＡＲに含まれる乗車駅１および下車駅２と新たな到着予想時刻Ｔ（ｔｊ）とに基づき、乗車駅１から下車駅２までの座席を予約する予約変更情報ＣＨＲを予約センタ７０へ送信する予約変更情報送信部（予約変更情報送信手段）である。予約変更情報送信部３４ｃは実施例２の予約変更情報送信部３４ｂと異なり、移動体端末装置２２側の新到着予想情報送信部３５により送信された新たな到着予想情報ＮＡＲに基づいて予約情報Ｒを予約センタ７０へ送信する。
【００６８】
予約センタ７０の座席手配部４２ｂ(座席手配手段）および手配結果通知部４４ｂ(手配結果通知手段）の機能は実施例２と同様であるため説明は省略する。
【００６９】
図６は、本発明の実施例３における予約方法またはプログラムの処理の流れをフローチャートで示す。図６において、左側のフローチャートは移動体端末装置２２側の処理の流れを示し、中央のフローチャートは通信センタ７０の処理の流れを示し、右側のフローチャートは予約センタ４０側の処理の流れを示し、各々の間の通信は各々の処理ブロック間を結ぶ点線により示す。図６で図２または図４と同じ符号を付した処理ブロックは同じ機能を有するため説明は省略する。図４で図２の符号と末尾の英文字のみ異なる要素（例えば、図４のステップＳ１０ｂと図２のＳ１０ａ)は当該ブロックの機能を実行するコンピュータが変更となり、主としてその入出力先が変更となった要素であるため、説明は簡略にとどめるものとする。
【００７０】
図６に示されるように、移動体端末装置２２側の位置情報取得ステップ（ステップＳ１０ａ）、駅決定ステップ（ステップＳ１２ｂ)、到着予想時刻算出ステップ（ステップＳ１４ａ）までは実施例１と同様であるため説明は省略する。続いて移動体端末装置２２は、駅決定ステップ（ステップＳ１２ａ)で決定された乗車駅１および下車駅２と到着予想時刻算出ステップ（ステップＳ１４ａ)で求められた到着予想時刻Ｔ（ｔ０）とを含む到着予想情報ＡＲを通信センタ７０へ送信する（到着予想情報送信ステップ。ステップＳ１５）。
【００７１】
通信センタ７０は、到着予想情報送信ステップ（ステップＳ１５）で送信された到着予想情報ＡＲに含まれる乗車駅１および下車駅２と到着予想時刻Ｔ（ｔ０）とに基づき、乗車駅１から下車駅２までの座席を予約する予約情報Ｒを予約センタ７０へ送信する（予約情報送信ステップ。ステップＳ１６ｃ)。予約情報送信ステップ（ステップＳ１６ｃ)は実施例２の予約情報送信ステップ（ステップＳ１６ｂ)と異なり、移動体端末装置２２側の到着予想情報送信ステップ（ステップＳ１５）で送信された到着予想情報ＡＲに基づいて予約情報Ｒを予約センタ７０へ送信する。
【００７２】
予約センタ７０側の座席手配ステップ（ステップＳ３０ｂ）は実施例２と同様であるため説明は省略する。
【００７３】
移動体端末装置２２側の到着予想情報送信ステップ（ステップＳ１５）に続くステップＳ１８ｂおよびＳ２０ａは実施例２と同様であるため説明は省略する。移動体端末装置２２はステップＳ２０ｂで座席の予約の変更を要すると判断した場合、駅決定ステップ（ステップＳ１２ａ)で決定された乗車駅１および下車駅２と新たな到着予想時刻Ｔ（ｔｊ）とを含む新たな到着予想情報ＮＡＲを通信センタ７０へ送信する（ステップＳ２３ｃ)。
【００７４】
通信センタ７０は、送信された新たな到着予想情報ＮＡＲに含まれる乗車駅１および下車駅２と新たな到着予想時刻Ｔ（ｔｊ）とに基づき、乗車駅１から下車駅２までの座席を予約する予約変更情報ＣＨＲを予約センタ７０へ送信する（ステップＳ２２ｃ)。
【００７５】
予約センタ７０は、実施例２と同様に送信された予約変更情報ＣＨＲに基づき、交通機関５の乗車駅１から下車駅２までの座席手配を行なう（ステップＳ３２ｂ)。
【００７６】
以上より、本発明の実施例３によれば、移動体端末装置２２側で自動車２０が乗車駅１に到着する時刻の予想等を行い、通信センタ７０側が予約センタ４０との間の予約等の中継を行なうというように機能を分散させた結果、負荷を分散させることができる。実施例３においても実施例１または２と同様に、ユーザが交通機関５の座席予約を行なった後に、自動車２０の進行状況に遅れまたは進みが生じた場合、即応的且つユーザの介入を要することなく予約を変更することができる予約システム等を提供することができる。
【実施例４】
【００７７】
図７は、上述した各実施例を実現するための本発明のコンピュータ・プログラムを実行する移動体端末装置２２等のコンピュータ、通信センタ７０のコンピュータまたは予約センタ４０のコンピュータの内部回路８０を示すブロック図である。図７に示されるように、ＣＰＵ８１、ＲＯＭ８２、ＲＡＭ８３、画像制御部８６、コントローラ８７、入力制御部９０および外部インタフェース（Ｉ／Ｆ）部９４はバス９６に接続されている。図７において、上述の本発明のコンピュータ・プログラムは、ＲＯＭ８２、ディスク８８ａまたはＣＤ−ＲＯＭ８８ｎ等の記録媒体（脱着可能な記録媒体を含む）に記録されている。本発明のコンピュータ・プログラムは、ＲＯＭ８２からバス９６を介し、またはディスク８８ａ若しくはＣＤ−ＲＯＭ８８ｎ等の記録媒体からコントローラ８７を経由してバス９６を介しＲＡＭ８３ヘロードされる。入力制御部９０はマウス、キーボード等の入力操作部９２と接続され入力制御等を行う。画像メモリであるＶＲＡＭ８５は移動体端末装置２２等、通信センタ７０または予約センタ４０のコンピュータの表示部８４の少なくとも一画面分のデータ容量に相当する容量を有しており、画像制御部８６はＶＲＡＭ８５のデータを画像データヘ変換して表示部８４へ送出する機能を有している。移動体端末装置２２の表示部８                                      
４の場合、経路を表示することができる。外部Ｉ／Ｆ部９４は、基地局６４等、アクセスポイント５４等または路側機４５等と通信する際、あるいはＧＰＳ受信用アンテナ２４を用いる際の入出力インタフェース機能を有する。
【００７８】
上述のようにＣＰＵ８１が上述の本発明のコンピュータ・プログラムを実行することにより、本発明の目的を達成することができる。当該コンピュータ・プログラムは上述のようにＣＤ−ＲＯＭ８８ｎ等の記録媒体の形態でコンピュータＣＰＵ８１に供給することができ、当該コンピュータ・プログラムを記録したＣＤ−ＲＯＭ８８ｎ等の記録媒体も同様に本発明を構成することになる。当該コンピュータ・プログラムを記録した記録媒体としては上述された記録媒体の他に、例えばメモリ・カード、メモリ・スティック、ＤＶＤ、光ディスク、ＦＤ等を用いることができる。
【産業上の利用可能性】
【００７９】
本発明の活用例として、予約された座席を通信センタ７０側で所定の数だけ保持しておき、所定のメンバ間で融通し合う共同予約システムとして適用することができる。
【図面の簡単な説明】
【００８０】
【図１】本発明の実施例１における予約システム１０を示す図である。
【図２】本発明の実施例１における予約方法またはプログラムの処理の流れを示すフローチャートである。
【図３】本発明の実施例２における予約システム１２を示す図である。
【図４】本発明の実施例２における予約方法またはプログラムの処理の流れを示すフローチャートである。
【図５】本発明の実施例３における予約システム１４を示す図である。
【図６】本発明の実施例３における予約方法またはプログラムの処理の流れを示すフローチャートである。
【図７】本発明のコンピュータ・プログラムを実行する移動体端末装置２２等のコンピュータの内部回路８０を示すブロック図である。
【符号の説明】
【００８１】
１  乗車駅、  ２  下車駅、  ３  目的地、  ５  交通機関、  １０、１２、１４  予約システム、  ２０  自動車、  ２２  移動体端末装置、  ２４  ＧＰＳ受信用アンテナ、  ２６ａ、２６ｂ  位置情報取得部、  ２８ａ、２８ｂ  駅決定部、  ３０ａ、３０ｂ  到着予想時刻算出部、  ３２ａ、３２ｂ、３２ｃ  予約情報送信部、  ３３  到着予想情報送信部、  ３４ａ、３４ｂ、３４ｃ  予約変更情報送信部、  ３５  新到着予想情報送信部、  ３６  経路探索部、  ３７  経路送信部、  ３８  目的地送信部、  ４０  予約センタ、  ４２ａ、４２ｂ  座席手配部、  ４４ａ、４４ｂ  手配結果通知部、  ４５  路側機、  ５０  インターネット、  ５２、５６  ルータ、  ５４  アクセスポイント、  ６０  情報センタ、  ６２  パケット通信網、  ６４  基地局、  ８０  内部回路、  ８１  ＣＰＵ、  ８２  ＲＯＭ、  ８３  ＲＡＭ、  ８４  表示部、  ８５  ＶＲＡＭ、  ８６  画像制御部、  ８７  コントローラ、  ８８ａ  ディスク、  ８８ｎ  ＣＤ−ＲＯＭ、  ９０  入力制御部、  ９２  入力操作部、  ９４  外部Ｉ／Ｆ部、  ９６  バス。
【図１】
2005235079.tif 000003
【図２】
2005235079.tif 000004
【図３】
2005235079.tif 000005
【図４】
2005235079.tif 000006
【図５】
2005235079.tif 000007
【図６】
2005235079.tif 000008
【図７】
2005235079.tif 000009